(57)【要約】【課題】収納、搬送、組み立て時まで一貫して使用できるうえ、歯車を容易且つ速やかに、しかもがたつきを抑えながら決まった向きで収納することができ、異物の付着、変形や傷が付いてしまうことを未然に防止し、さらに摘み上げる作業性を格段に向上すること。【解決手段】円板状の歯車本体、及び歯車本体の中心に設けられた軸部を有する歯車を収納するトレーであって、平板状のトレー本体２と、トレー本体の少なくとも上面４側に開口すると共に、上面側の開口端部３ａの内径Ｗ２が歯車本体の直径Ｗ１よりも大きくなるようにトレー本体に形成され、歯車を、歯車の軸部がトレー本体の上下方向Ｄ１に沿った状態で収納する収納孔部３と、を備え、収納孔部を画成する内周面６の少なくとも一部には、上面側から下面７側に向かうに連れて縮径すると共に、下端の内径Ｗ３が歯車本体の直径よりも小さいテーパ面８が形成されている歯車用収納トレー１を提供する。【選択図】図４
2010143596.tif 000002
【特許請求の範囲】
【請求項１】
円板状の歯車本体、及び該歯車本体の中心に設けられた軸部を有し、重心が前記歯車本体から離間した前記軸部上にある歯車を収納する歯車用収納トレーであって、
平板状のトレー本体と、
前記トレー本体の少なくとも上面側に開口すると共に、前記上面側の開口端部の内径が前記歯車本体の直径よりも大きくなるように前記トレー本体に形成され、前記歯車を、該歯車の軸部が前記トレー本体の上下方向に沿った状態で収納する収納孔部と、を備え、
前記収納孔部を画成する内周面の少なくとも一部には、上面側から下面側に向かうに連れて縮径すると共に、下端の内径が前記歯車本体の直径よりも小さいテーパ面が形成されていることを特徴とする歯車用収納トレー。
【請求項２】
請求項１に記載の歯車用収納トレーであって、
前記収納孔部を画成する内周面には、前記テーパ面の下端に連なると共に、該下端の内径と前記上下方向によらず内径が同等な規制面が形成されていることを特徴とする歯車用収納トレー。
【請求項３】
請求項１又は２に記載の歯車用収納トレーであって、
前記収納孔部は、有底状に形成されていることを特徴とする歯車用収納トレー。
【請求項４】
請求項３に記載の歯車用収納トレーであって、
前記収納孔部は、前記テーパ面において内径が前記歯車本体の直径と一致する位置から底面までの前記上下方向に沿った大きさが、前記歯車の軸部において重心が位置する方向に延在する該軸部の長さより大きくなるように形成されていることを特徴とする歯車用収納トレー。
【請求項５】
請求項３又は４に記載の歯車用収納トレーであって、
前記トレー本体の下面において前記収納孔部と対応する位置には、前記歯車本体の直径よりも内径が小さい軸逃げ用凹部が形成され、
この歯車用収納トレー同士を予め決められた向きで重ね合わせるときに、上段側トレーの前記軸逃げ用凹部が下段側トレーの前記収納孔部と対向して配置されるように両トレーを位置決めする位置決め機構を備えていることを特徴とする歯車用収納トレー。
【請求項６】
請求項５に記載の歯車用収納トレーであって、
前記位置決め機構は、前記トレー本体の上面における外周縁部に上側に向けて突設された位置決め凸部と、前記トレー本体の下面における外周縁部に下側に向けて開口され、前記位置決め凸部と係合される位置決め凹溝と、を備えていることを特徴とする歯車用収納トレー。
【請求項７】
請求項５又は６に記載の歯車用収納トレーであって、
前記上段側トレーの下面と前記下段側トレーの上面とが予め決められた向きと異なる向きで重ね合わせられようとしたときに、前記上段側トレーの下面と前記下段側トレーの上面との接触を防止する誤位置決め防止機構を備えていることを特徴とする歯車用収納トレー。
【請求項８】
請求項５から７のいずれか１項に記載の歯車用収納トレーであって、
前記トレー本体には、重ね合わせる際の向きを認識するための目印が形成されていることを特徴とする歯車用収納トレー。
【請求項９】
請求項１から８のいずれか１項に記載の歯車用収納トレーであって、
前記収納孔部は、複数設けられていることを特徴とする歯車用収納トレー。
【請求項１０】
請求項１から９のいずれか１項に記載の歯車用収納トレーと、
円板状の歯車本体、及び該歯車本体の中心に設けられた軸部を有し、重心が前記歯車本体から離間した前記軸部上にあると共に、前記歯車用収納トレーの前記収納孔部に収納された歯車と、
を備えていることを特徴とする収納体。
【発明の詳細な説明】
【技術分野】
【０００１】
本発明は、時計を構成する小型精密部品の１つである歯車を収納する歯車用収納トレー及びこれを備える収納体に関するものである。
【背景技術】
【０００２】
機械式時計に代表されるアナログ式の時計は、非常に小型で精密な歯車等の部品が無数に組み合わされて構成されている。特に、歯車は、動力を伝達するための重要な部品であるので、時計を組み立てるにあたり変形や傷等がつかないように取り扱いに注意を要する必要がある。
ところで、時計を組み立てる場合には、歯車等の各種の部品をそれぞれ部品毎に製作した後、組み立てラインに搬送（運送や輸送を含む）している。従って、部品の１つである歯車に関しても、製作場所から組み立てラインまで搬送する必要がある。
【０００３】
ここで、歯車を取り扱う方法としては、従来から以下のような方法が採用されている。
第１の方法としては、製作した歯車を一定の数量ずつまとめてプラスチック箱やビニール袋に入れた後、搬送する方法である。
第２の方法としては、製作した歯車を一定の数量ずつまとめて、空気で膨らませたビニール袋に入れた後、搬送する方法である。
第３の方法としては、複数の窪みが形成されたトレーを用意し、各窪みに歯車を１つずつ収納した後、トレーごと搬送する方法である。
第４の方法としては、空気で膨らませたビニール袋を複数用意し、各ビニール袋に歯車を１つずつ入れた後、搬送する方法である。
【０００４】
なお、これらの取り扱い方法は、作業者が経験に基づいて工夫しながら実際に行っている方法であるので、このような方法が記載された公知文献は現時点においては見つかっていないため開示できない。
【発明の開示】
【発明が解決しようとする課題】
【０００５】
しかしながら、上述した歯車の取り扱い方法には、まだ以下の課題が残されている。
はじめに、第１の方法の場合には、一定数量をまとめて扱うので、搬送中に歯車同士がぶつかったり、絡み合ったりしてしまい、変形や傷等が付き易いという問題があった。しかも、外部からの衝撃をうけた場合には、変形や傷が容易に付き易かった。
【０００６】
第２の方法の場合には、空気で膨らませたビニール袋に入れているので、外部からの衝撃には強いものの、同じビニール袋内に入れられている歯車同士が搬送中にぶつかったり、絡み合ったりしてしまう。そのため、やはり変形や傷が付き易いものであった。しかも、搬送後に、ビニール袋から歯車を取り出して、別のトレーや容器に一時的に移し替える手間が必要であった。
【０００７】
第３の方法の場合には、各窪みに歯車を１つずつ収納した状態で搬送できるので、歯車同士がぶつかったり、絡み合ったりする恐れがない。しかしながら、搬送中に揺れ等によって窪みの中で歯車が暴れ易く、これによって変形や傷が付く場合があった。しかも、暴れた際に、トレーの表面が削れて（擦れて）歯車に付着する可能性もあった。よって、異物の付着による品質低下を引き起こす可能性があった。
加えて、歯車が窪みの中でどのような姿勢になるか不明（姿勢がバラバラ）であるので、搬送後に歯車を摘んで窪みから取り上げる際に手間がかかってしまい、効率の良い作業を行うことができなかった。また、通常、組み立て前に歯車に対して注油を行うものであるが、窪みの中で歯車の姿勢がバラバラであるので、効率良く注油作業を行うことができなかった。
【０００８】
第４の方法の場合には、空気で膨らませたビニール袋の中に歯車を１つずつ入れるので、外部からの衝撃に強いだけでなく、歯車同士のぶつかりや絡み合いもない。そのため、変形や傷が付き難く、好ましい方法である。しかしながら、歯車を１つずつビニール袋に入れる必要があるので、この梱包に費やす手間がどうしてもかかってしまい作業性が悪かった。しかも、梱包するだけでなく、搬送後にビニール袋から取り出す手間もかかってしまううえ、別のトレーや容器に一時的に移し替える手間も必要であった。
【０００９】
本発明は、このような事情に考慮してなされたもので、その目的は、収納、搬送、組み立て時まで一貫して使用できるうえ、歯車を容易且つ速やかに、しかもがたつきを抑えながら決まった向きで収納することができ、異物の付着、変形や傷が付いてしまうことを未然に防止し、さらに摘み上げる作業性を格段に向上することができる歯車用収納トレーを提供することである。
また、別の目的としては、この歯車用収納トレーを備えた収納体を提供することである。
【課題を解決するための手段】
【００１０】
上記課題を解決するために、本発明は以下の手段を提案している。
本発明に係る歯車用収納トレーは、円板状の歯車本体、及び該歯車本体の中心に設けられた軸部を有し、重心が前記歯車本体から離間した前記軸部上にある歯車を収納する歯車用収納トレーであって、平板状のトレー本体と、前記トレー本体の少なくとも上面側に開口すると共に、前記上面側の開口端部の内径が前記歯車本体の直径よりも大きくなるように前記トレー本体に形成され、前記歯車を、該歯車の軸部が前記トレー本体の上下方向に沿った状態で収納する収納孔部と、を備え、前記収納孔部を画成する内周面の少なくとも一部には、上面側から下面側に向かうに連れて縮径すると共に、下端の内径が前記歯車本体の直径よりも小さいテーパ面が形成されていることを特徴とするものである。
【００１１】
本発明に係る歯車用収納トレーにおいて歯車を収納する際には、まず、この歯車用収納トレーを略水平な架台等の上に上面を上側にした状態で載置し、トレー本体の上下方向と鉛直方向とを略一致させる。
次いで、収納する歯車を把持し、この歯車を収納孔部に、この収納孔部の上面側の開口端部から挿入する。この際、歯車を、軸部において重心が位置する側（以下、一方側と称する）の端部から収納孔部に挿入する。その後、把持を解除することで、歯車は収納孔部内を下面側に向けて進入する。この際、歯車は、重心が位置する軸部の一方側における端部から挿入されているので、この軸部の一方側の端部や歯車本体の外周縁部が収納孔部を画成する内周面と接触することで、軸部の延在方向が鉛直方向、つまりトレー本体の上下方向と一致するように姿勢が矯正される。そして、歯車は、軸部の一方側の端部が鉛直下側、つまり下面側を向くようにして収納孔部内を進入する。
【００１２】
ここで、収納孔部を画成する内周面の一部には、上面側から下面側に向かうに連れて縮径すると共に、下端の内径が歯車本体の直径より小さいテーパ面が形成されている。このため、歯車は、収納孔部内を下面側に向けて進入する過程で、テーパ面において内径が歯車本体の直径と同等である部分まで歯車本体が進入したときに、テーパ面に歯車本体の外周縁部の下端が当接して支持され、下面側に向けた移動が規制される。この際、歯車は、歯車本体よりも重心が下面側に位置した状態で移動が規制されるので、姿勢が安定し、がたつきが抑えられる。これにより、歯車を、歯車本体を挟んで一方側とは反対側の他方側を上面側に向けた状態で収納孔部に収納することができる。
以上に示したようにこの歯車用収納トレーによれば、歯車を単に収納孔部に挿入するだけの容易な作業で速やかに、しかもがたつきを抑えながら決まった向きで収納することができる。
【００１３】
また、この歯車用収納トレーにおいて歯車を搬送する際には、前述のように歯車ががたつきを抑えられながら収納されているので、仮に外部から衝撃を受けた場合であっても歯車が暴れることを抑制することが可能となり、歯車に傷が付くことや歯車の変形、及びトレー本体の表面が擦れることに起因する異物の付着等を未然に防止することができる。
また、この歯車用収納トレーにおいて歯車を搬送後、この歯車を用いて組み立てを行う際には、前述のように歯車ががたつきを抑えられながら決まった向きで収納されているので、搬送後であっても歯車を他方側を上面側に向けた状態で収納孔部に収納させておくことが可能となり、歯車を摘み上げる作業性を格段に向上することができる。なお、歯車において他方側に位置する部分に注油作業を行う場合は、この注油作業を歯車を収納孔部に収納した状態で行うことが可能となり、作業性をより一層向上することができる。
以上に示したように、この歯車用収納トレーによれば、収納、搬送、組み立て時まで取り出し作業を行う必要が無く、一貫して使用することができる。
【００１４】
また、前記収納孔部を画成する内周面には、前記テーパ面の下端に連なると共に、該下端の内径と前記上下方向によらず内径が同等な規制面が形成されていても良い。
【００１５】
この場合、収納孔部に歯車が収納された際に、軸部の一方側の端部が規制面で画成される空間内に挿入されることで、仮に収納孔部内で歯車ががたついたとしても、軸部が規制面に接触して歯車のがたつきをより確実に抑制することができる。
【００１６】
また、前記収納孔部は、有底状に形成されていても良い。
【００１７】
この場合、収納孔部が有底状に形成されているので、トレー本体の下面側から異物等が入り込むのを抑制することが可能となり、歯車に異物が付着するのをより確実に防止することができる。
【００１８】
また、前記収納孔部は、前記テーパ面において内径が前記歯車本体の直径と一致する位置から底面までの前記上下方向に沿った大きさが、前記歯車の軸部において重心が位置する方向に延在する該軸部の長さより大きくなるように形成されていても良い。
【００１９】
この場合、テーパ面において内径が歯車本体の直径と一致する位置から底面までの上下方向に沿った大きさが、歯車の軸部において重心が位置する方向、つまり一方側に延在する軸部の長さより大きくなっているので、収納孔部に歯車が収納された際に、歯車の軸部の一方側の端部が収納孔部の底面に接触することがない。従って、歯車の変形や歯車に傷が付いてしまうのをより確実に防止することができる。
【００２０】
また、前記トレー本体の下面において前記収納孔部と対応する位置には、前記歯車本体の直径よりも内径が小さい軸逃げ用凹部が形成され、この歯車用収納トレー同士を予め決められた向きで重ね合わせるときに、上段側トレーの前記軸逃げ用凹部が下段側トレーの前記収納孔部と対向して配置されるように両トレーを位置決めする位置決め機構を備えていても良い。
【００２１】
この場合、歯車用収納トレー同士を重ね合わせることで、搬送時等に外部から衝撃を受けた場合であっても、収納孔部から上面側に向けて歯車が飛び出してしまうのを抑制することができる。加えて、歯車用収納トレー同士を重ね合わせることで、歯車の搬送時に一度に搬送する歯車用収納トレーの数を増やすことが可能となり、歯車の搬送効率を向上することができる。
しかも、歯車用収納トレー同士を重ね合わせるときに、位置決め機構によって、上段側トレーの軸逃げ用凹部が下段側トレーの収納孔部と対向して配置されるように両トレーを位置決めすることができる。従って、収納孔部に歯車を収納した際、仮にトレー本体の上面から歯車の軸部が突出するような場合であっても、軸部を上段側トレーの軸逃げ用凹部に収納することが可能となり、軸部が上段側トレーの下面に接触するのを防ぐことができる。よって、歯車の変形や歯車に傷が付いてしまうのを確実に防止することができる。
【００２２】
また、前記位置決め機構は、前記トレー本体の上面における外周縁部に上側に向けて突設された位置決め凸部と、前記トレー本体の下面における外周縁部に下側に向けて開口され、前記位置決め凸部と係合される位置決め凹溝と、を備えていても良い。
【００２３】
この場合、位置決め機構によって位置決めする際に、単に位置決め凸部と位置決め凹溝とを係合するだけなので、位置決め作業を容易に行うことができる。
また、位置決め凸部がトレー本体の下面でなく上面に形成されているので、歯車用収納トレーを下面を下側にして架台等に載置する際に、位置決め機構を起因としてこの載置が阻害されることがない。
また、位置決め凸部及び位置決め凹溝のいずれもトレー本体の外周縁部に設けられているので、トレー本体における収納孔部のレイアウト性を向上することができる。例えば、収納孔部を複数形成する場合には、収納孔部の数をできるだけ増やすようにレイアウトすることが可能となる。
【００２４】
また、前記上段側トレーの下面と前記下段側トレーの上面とが予め決められた向きと異なる向きで重ね合わせられようとしたときに、前記上段側トレーの下面と前記下段側トレーの上面との接触を防止する誤位置決め防止機構を備えていても良い。
【００２５】
この場合、誤位置決め防止機構によって、上段側トレーの下面と下段側トレーの上面とが予め決められた向きと異なる向きで重ね合わせられようとしたときに、上段側トレーの下面と下段側トレーの上面との接触を防止することができる。従って、収納孔部に歯車を収納した際、仮にトレー本体の上面から歯車の軸部が突出しているような場合であっても、上段側トレーと下段側トレーとの位置決め方向を誤って重ね合わせようとした際に、軸部が上段側トレーの下面に接触してしまうのを防ぐことができる。よって、歯車の変形や歯車に傷が付いてしまうのを確実に防止することができる。
【００２６】
また、前記トレー本体には、重ね合わせる際の向きを認識するための目印が形成されていても良い。
【００２７】
この場合、トレー本体に方向認識用の目印が形成されているので、手動或いはロボット等の機械で歯車用収納トレー同士を重ね合わせる際に、向きを間違えることなく両トレーを確実に予め決められた向きで重ね合わせることができる。従って、重ね合わせ作業をより効率良く行うことができる。なお、ロボット等の機械で重ね合わせ作業を行う場合には、目印を指標としてプログラミングできるので、制御が非常に容易になる。
【００２８】
また、前記収納孔部は、複数設けられていても良い。
【００２９】
この場合、収納孔部が複数設けられているので、一度に複数の歯車を収納及び搬送することが可能となる。しかも、一定量をまとめて取り扱う場合と異なり、搬送中に歯車同士がぶつかったり、絡み合ったりすることがないので、歯車の変形や歯車に傷が付いてしまうのを確実に防止することができる。
【００３０】
また、本発明に係る収納体は、前記本発明に係る歯車用収納トレーと、円板状の歯車本体、及び該歯車本体の中心に設けられた軸部を有し、重心が前記歯車本体から離間した前記軸部上にあると共に、前記歯車用収納トレーの前記収納孔部に収納された歯車と、を備えていることを特徴とするものである。
【００３１】
本発明に係る収納体によれば、搬送、組み立て時まで一貫して使用できるうえ、歯車への異物の付着、歯車の変形や歯車に傷が付いてしまうことを未然に防止し、さらに歯車を摘み上げる作業性を格段に向上することができる。
【発明の効果】
【００３２】
本発明に係る歯車用収納トレーによれば、収納、搬送、組み立て時まで一貫して使用できるうえ、歯車を容易且つ速やかに、しかもがたつきを抑えながら決まった向きで収納することができ、異物の付着、変形や傷が付いてしまうことを未然に防止し、さらに摘み上げる作業性を格段に向上することができる。
また、本発明に係る収容体によれば、搬送、組み立て時まで一貫して使用できるうえ、歯車への異物の付着、歯車の変形や歯車に傷が付いてしまうことを未然に防止し、さらに歯車を摘み上げる作業性を格段に向上することができる。
【発明を実施するための最良の形態】
【００３３】
以下、本発明に係る歯車用収納トレーの一実施形態を、図１から図１６を参照して説明する。図１は、本発明に係る歯車用収納トレーの一実施形態の構成図である。図２（ａ）は、図１に示す歯車用収納トレーに収納する歯車を示す側面図である。図２（ｂ）は、図１に示す歯車用収納トレーに収納する歯車を示す平面図である。
本実施形態の歯車用収納トレー１は、図１に示すように、円板状の歯車本体Ｃ１、及び該歯車本体Ｃ１の中心に設けられた軸部Ｃ２を有し、重心が歯車本体Ｃ１から離間した軸部Ｃ２上にある歯車Ｃを収納するものである。なお、歯車用収納トレー１に歯車Ｃが収納されると、収納パッケージ（収納体）Ｐとなる。
【００３４】
ここで、歯車Ｃについて簡単に説明する。本実施形態では、図２（ａ）及び図２（ｂ）に示すように、歯車Ｃは、前記歯車本体Ｃ１と、該歯車本体Ｃ１をその厚み方向に貫通するように延在する前記軸部Ｃ２と、軸部Ｃ２の延在方向に沿って歯車本体Ｃ１に対して一方側に位置する軸部Ｃ２に連結されたハートカムＣ３と、を備えており、例えば機械式クロノグラフに用いる歯車等に採用されるものである。この歯車Ｃは、軸部Ｃ２の全長が例えば１０ｍｍと極めて微小であり、更にこの歯車Ｃには、内部に図示しないバネ等が収容されており、取り扱いに細心の注意が必要とされる。
【００３５】
以下では、図２（ａ）に示すように、軸部Ｃ２の延在方向に沿って歯車本体Ｃ１に対してハートカムＣ３が位置する側（前記一方側）を歯車上側と称し、軸部Ｃ２の延在方向に沿って歯車本体Ｃ１を挟んで反対側を歯車下側と称する。また、歯車本体Ｃ１から歯車下側へ向けた軸部Ｃ２の長さ（突出量）をＬ１、歯車本体Ｃ１から歯車上側へ向けた軸部Ｃ２の長さ（突出量）をＬ２、軸部Ｃ２の延在方向に沿った歯車本体Ｃ１の大きさ（厚み）をＬ３、歯車本体Ｃ１における歯車上側の面からハートカムＣ３における歯車上側の面までの軸部Ｃ２の延在方向に沿った大きさをＬ４とする。
【００３６】
また、歯車Ｃの重心は、歯車本体Ｃ１から歯車下側に離間した軸部Ｃ２上にあるものとし、軸部Ｃ２は、前記長さＬ１と前記長さＬ２との関係がＬ１＞Ｌ２であるものとする。更に、図２（ａ）に示すように、歯車本体Ｃ１の直径をＷ１とする。
なお、本実施形態に示す歯車Ｃは一例であって、歯車用収納トレー１に収納される歯車は上述したものに限られるものではなく、歯車本体及び軸部を有し、重心が歯車本体から離間した軸部上にあるものであれば良い。
【００３７】
図１に示すように、歯車用収納トレー１は、平板状のトレー本体２と、トレー本体２に形成され、歯車Ｃを、該歯車Ｃの軸部Ｃ２がトレー本体２の上下方向Ｄ１に沿った状態で収納する収納孔部３と、を備えている。
トレー本体２は、例えばいわゆるプラスチック等の合成樹脂で形成されると共に、表面が平滑となっており、図示の例では、外周縁部５における４つの角部５ｅがそれぞれ面取り（Ｒ加工）された平面視正方形状に形成されている。なお、トレー本体２の材質は、前述したものに限られない。
【００３８】
収納孔部３は、トレー本体２の少なくとも上面４側に開口すると共に、上面４側の開口端部３ａ（図４参照）の内径Ｗ２が歯車本体Ｃ１の直径Ｗ１よりも大きくなるように形成されている。また、図１に示すように、図示の例では、収納孔部３は、トレー本体２に複数（１００個）形成されており、つまり歯車用収納トレー１には、複数（１００個）の歯車Ｃを収納することができる。
【００３９】
なお、１００個の収納孔部３は、平面視千鳥状になるように配置されている。図示の例では、平面視においてトレー本体２の外周縁の所定の一辺が延在する延在方向に沿う縦方向Ｄ２に１０個整列してなる収納孔部３の列が、前記縦方向Ｄ２と直交する横方向Ｄ３に互いに等間隔あけた状態で１０列隣接して配置されている。更に、前記収納孔部３の列は、隣接する列同士が前記縦方向Ｄ２の一方側及び他方側に交互に等間隔ずらされて配置されている。これにより、１００個の収納孔部３は、平面視千鳥状をなしている。
【００４０】
以上のように配列されることで、トレー本体２における収納孔部３の配置は、平面視で線対称でなく、且つ平面視で点対称となっている。また、図示の例では、収納孔部３は、トレー本体２の外周縁部５を回避するように、平面視においてトレー本体２の上面４の外周縁の各辺から所定の距離Ｂ１だけトレー本体２の内側に離れてなる平面視矩形状の上面中央領域Ｒ１内に形成されている。なお、図示の例では、トレー本体２の外周縁の一辺の長さと、前記距離Ｂ１との比は、例えば２１：１となっている。
【００４１】
図３は、図１に示す断面矢視Ａ−Ａ図である。図４は、図３に示す断面図の部分拡大図である。
図３及び図４に示すように、収納孔部３を画成する内周面６の少なくとも一部には、上面４側から下面７側に向かうに連れて縮径すると共に、下端の内径Ｗ３が歯車本体Ｃ１の直径Ｗ１よりも小さいテーパ面８が形成されている。また、本実施形態では、収納孔部３を画成する内周面６には、テーパ面８の下端に連なると共に、該下端の内径Ｗ３と前記上下方向Ｄ１によらず内径が同等な規制面９が形成されている。更に、本実施形態では、収納孔部３は、有底状に形成されている。
【００４２】
図４に示すように、図示の例では、テーパ面８は、トレー本体２の上面４に連なるように形成されており、つまりテーパ面８の上端の内径はＷ２となっている。また、テーパ面８は、上面４側から下面７側に向かうに連れて漸次縮径しており、その縦断面視形状が傾斜平面となっている。これにより、この傾斜平面において前記上下方向Ｄ１の中間部分８ａの内径が、歯車本体Ｃ１の直径Ｗ１と等しくなっている。
また、図示の例では、収納孔部３の底面１０は、前記上下方向Ｄ１に直交する平坦面に形成されると共に、その外周縁が規制面９の下端に連なっている。
【００４３】
また、図示の例では、収納孔部３において前記上下方向Ｄ１でテーパ面８の上端から下端までの範囲に位置する空間である円錐台状の空間Ｓ１と、収納孔部３において前記上下方向Ｄ１で規制面９の上端から下端までの範囲に位置する空間である円柱状の空間Ｓ２とは、各空間Ｓ１、Ｓ２における前記上下方向Ｄ１に沿った中心軸線が共通軸となっている。
また、図示の例では、前述した内径Ｗ２と内径Ｗ３との比は、例えばＷ２：Ｗ３＝６：１となっている。また、テーパ面８の上端から下端までの前記上下方向Ｄ１に沿った大きさと、規制面９の上端から下端までの前記上下方向Ｄ１に沿った大きさとの比は、例えば３：１となっている。
【００４４】
また、図２及び図４に示すように、本実施形態では、収納孔部３は、テーパ面８における前記中間部分８ａから底面１０までの前記上下方向Ｄ１に沿った大きさＬ５が、歯車Ｃの軸部Ｃ２における歯車下側の長さＬ１より大きくなるように形成されている。また、図示の例では、収納孔部３は、テーパ面８における前記中間部分８ａからテーパ面８の下端までの前記上下方向Ｄ１に沿った大きさＬ６が、歯車Ｃの軸部Ｃ２における歯車下側の長さＬ１より小さくなるように形成されている（即ち、Ｌ６＜Ｌ１＜Ｌ５）。
【００４５】
また、図示の例では、収納孔部３は、テーパ面８における前記中間部分８ａから上面４側の開口端部３ａまでの前記上下方向Ｄ１に沿った大きさＬ７が、歯車本体Ｃ１の厚みＬ３と、歯車本体Ｃ１における歯車上側の面からハートカムＣ３における歯車上側の面までの大きさＬ４とを足した大きさより大きくなるように形成されている。更に、収納孔部３は、前記大きさＬ７が、歯車Ｃの軸部Ｃ２における歯車上側の長さＬ２と、歯車本体Ｃ１の厚みＬ３とを足した大きさよりも小さくなるように形成されている（即ち、Ｌ３＋Ｌ４＜Ｌ７＜Ｌ２＋Ｌ３）。
【００４６】
図５は、図１に示す歯車用収納トレーを下面側から見た平面図である。
図３から図５に示すように、本実施形態では、トレー本体２の下面７において収納孔部３と対応する位置には、歯車本体Ｃ１の直径Ｗ１よりも内径Ｗ４が小さい軸逃げ用凹部１１が形成されている。図４に示すように、図示の例では、軸逃げ用凹部１１は、トレー本体２の下面７において収納孔部３の下側に位置する部分に形成されている。
【００４７】
また、図４及び図５に示すように、図示の例では、軸逃げ用凹部１１は、内部の空間Ｓ３が円柱状になるように形成されている。更に、図４に示すように、軸逃げ用凹部１１は、前記空間Ｓ３における前記上下方向Ｄ１に沿った中心軸線が、収納孔部３における前記各空間Ｓ１、Ｓ２の前記共通軸と同軸になるように形成されている。また、軸逃げ用凹部１１の前記上下方向Ｄ１に沿った大きさ（深さ）は、Ｌ８となっている（但し、Ｌ８＞Ｌ２＋Ｌ３−Ｌ７）。
【００４８】
以上のように形成された軸逃げ用凹部１１は、図５に示すように、トレー本体２の下面７において平面視千鳥状に配置される。この軸逃げ用凹部１１は、トレー本体２の下面７において前記上面中央領域Ｒ１に対応する領域、つまり平面視においてトレー本体２の下面７の外周縁の各辺から所定の距離Ｂ１だけトレー本体２の内側に離れてなる平面視矩形状の下面中央領域Ｒ２内に形成されている。
【００４９】
また、図５に示すように、図示の例では、トレー本体２の下面７には、肉抜き部１２が複数形成されている。肉抜き部１２は、軸逃げ用凹部１１が前記下面中央領域Ｒ２内において平面視千鳥状に配置されることで前記下面中央領域Ｒ２内において軸逃げ用凹部１１間に生ずる隙間領域に形成されている。図３及び図５に示すように、図示の例では、各肉抜き部１２は、平面視長穴状の溝となっており、複数（１００個）の肉抜き部１２は、平面視千鳥状になるように配置されている。この肉抜き部１２を設けることで、歯車用収納トレー１に用いる材料を低減して、歯車用収納トレー１の低コスト化を図ることができる。
【００５０】
図６は、図１に示す矢視Ｂ図である。図７は、図１に示す矢視Ｃ図である。図８は、図１に示す矢視Ｄ図である。
図６から図８に示すように、本実施形態では、歯車用収納トレー１は、この歯車用収納トレー１同士を後述する予め決められた向きで重ね合わせるときに、上段側トレー１の軸逃げ用凹部１１が下段側トレー１の収納孔部３と対向して配置されるように両トレー１、１を位置決めする位置決め機構１３を備えている。
【００５１】
更に本実施形態では、位置決め機構１３は、トレー本体２の上面４における外周縁部５に上側に向けて突設された位置決め凸部１４と、トレー本体２の下面７における外周縁部５に下側に向けて開口され、位置決め凸部１４と係合される位置決め凹溝１５と、を備えている。
図１及び図５から図８に示すように、図示の例では、位置決め凸部１４及び位置決め凹溝１５は、トレー本体２における外周縁部５である４つの辺部５ａ、５ｂ、５ｃ、５ｄにそれぞれ形成されている。なお、本実施形態では、外周縁部５とは、前記各辺部５ａ、５ｂ、５ｃ、５ｄと、前記４つの角部５ｅと、を備えるものである。
【００５２】
図１に示すように、位置決め凸部１４は、各辺部５ａ、５ｂ、５ｃ、５ｄにそれぞれ２つずつ形成されており、全ての位置決め凸部１４は同形同大となっている。位置決め凸部１４は、その位置決め凸部１４が形成されている辺部５ａ、５ｂ、５ｃ、５ｄの延在方向に沿って延びると共に、その延在方向の両端部が面取り（Ｒ加工）されて形成されている。
【００５３】
また、位置決め凸部１４においてその延在方向に沿った大きさである長さは、収納孔部３の上面４側の開口端部３ａの内径Ｗ２と略同等であり、前記延在方向に直交する方向に沿った大きさである幅は、Ｂ２（但し、Ｂ２＜Ｂ１）となっている。また、図６に示すように、位置決め凸部１４の突出高さ（トレー本体２の上面４から上端までの前記上下方向Ｄ１に沿った大きさ）は、Ｂ３となっている。
【００５４】
また、図６から図８に示すように、各辺部５ａ、５ｂ、５ｃ、５ｄにおける２つの位置決め凸部１４は、各辺部５ａ、５ｂ、５ｃ、５ｄにおける延在方向の中点からの距離がそれぞれ等しくなるように、該中点を挟んで前記延在方向に互いに離間して配置されている。なお、図示の例では、前記縦方向Ｄ２に沿った辺部５ａ、５ｂにそれぞれ形成されている２つの位置決め凸部１４間の間隔は、前記横方向Ｄ３に沿った辺部５ｃ、５ｄにそれぞれ形成されている２つの位置決め凸部１４間の間隔よりも広くなっている。
【００５５】
また、図５及び図６に示すように、位置決め凹溝１５は、各辺部５ａ、５ｂ、５ｃ、５ｄにそれぞれ１つ形成されており、全ての位置決め凹溝１５は同形同大となっている。位置決め凹溝１５は、その位置決め凹溝１５が形成されている辺部５ａ、５ｂ、５ｃ、５ｄの延在方向に沿って延びる平面視長穴状に形成されている。また、位置決め凹溝１５は、トレー本体２の側方に向けて開口している。
【００５６】
また、図５に示すように、位置決め凹溝１５においてその延在方向に直交する方向の大きさである幅は、位置決め凸部１４の幅Ｂ２より若干大きいＢ４（但し、Ｂ４＜Ｂ１）となっており、図６に示すように、位置決め凹溝１５の深さ（トレー本体２の下面７から上端面までの前記上下方向Ｄ１に沿った大きさ）は、Ｂ５（但し、Ｂ５＞Ｂ３）となっている。なお、位置決め凸部１４の幅Ｂ２と位置決め凹溝１５の幅Ｂ４とは、同等であっても良い。
【００５７】
また、位置決め凹溝１５においてその延在方向に沿った大きさである長さは、前記縦方向Ｄ２に沿った辺部５ａ、５ｂに形成されている２つの位置決め凸部１４それぞれにおける前記縦方向Ｄ２の外側端縁間の間隔よりも大きくなっている。また、位置決め凹溝１５は、その延在方向の中点が各辺部５ａ、５ｂ、５ｃ、５ｄの延在方向の中点と一致するように形成されている。
【００５８】
以上に示したように、本実施形態では、位置決め凸部１４及び位置決め凹溝１５のいずれもトレー本体２の外周縁部５に設けられているので、トレー本体２における収納孔部３のレイアウト性を向上することができる。つまり、前述したように、トレー本体２の上面４における大部分を占める前記上面中央領域Ｒ１に、収納孔部３の数をできるだけ増やすようにレイアウトすることが可能となる。
【００５９】
また、本実施形態では、この歯車用収納トレー１同士を重ねるに際し、上段側トレー１の下面７と下段側トレー１の上面４とが後述する予め決められた向きと異なる向きで重ね合わせられようとしたときに、上段側トレー１の下面７と下段側トレー１の上面４との接触を防止する誤位置決め防止機構１６を備えている。
図示の例では、誤位置決め防止機構１６は、図７及び図８に示すように、前記縦方向Ｄ２に沿う一方の辺部５ａにおける位置決め凹溝１５内に形成された第１突起１７と、前記横方向Ｄ３に沿う各辺部５ｃ、５ｄの上面４にそれぞれ突設された２つの第２突起１８からなる。
【００６０】
第１突起１７は、図７に示すように、辺部５ａに形成された位置決め凹溝１５の前記縦方向Ｄ２の中央部分における上端面から下面７側に向けて突設されており、その下端面がトレー本体２の下面７と面一になっている。また、図示の例では、第１突起１７は、前記縦方向Ｄ２に沿った大きさが、位置決め凸部１４の前記長さよりも大きくなっている。また、図示の例では、第１突起１７は、前記横方向Ｄ３において、トレー本体２に対して外側を向く面がトレー本体２の側面と面一となっていると共に、トレー本体２に対して内側を向く面が位置決め凹溝１５を画成する内周面に連結されている。
第２突起１８は、図８に示すように、位置決め凸部１４と同形同大に形成されており、前記横方向Ｄ３に沿う各辺部５ｃ、５ｄにおける前記横方向Ｄ３の中央部分に形成されている。
【００６１】
また、本実施形態では、図６に示すように、トレー本体２には、重ね合わせる際の向きを認識するための切り欠き部（目印）１９が形成されている。図示の例では、切り欠き部１９は、前記縦方向Ｄ２に沿う辺部５ａ、５ｂのうちの第１突起１７が形成された辺部５ａとは異なる他方の辺部５ｂに形成されている。切り欠き部１９は、前記他方の辺部５ｂにおける前記縦方向Ｄ２の中央部分の上面４側に前記上下方向Ｄ１に沿って形成されており、トレー本体２の上方及び側方と、位置決め凹溝１５側との計３方向に向けて開口している。
【００６２】
次に、以上のように構成された歯車用収納トレー１の作用について説明する。
図９は、図１に示す歯車用収納トレーの収納孔部に歯車を収容した収納パッケージの平面図である。図１０は、図９に示す収納パッケージの部分断面図である。
始めに、この歯車用収納トレー１に歯車Ｃを収納する方法の一例について説明する。
まず、この歯車用収納トレー１を略水平な架台等の上に上面４を上側にした状態で載置し、トレー本体２の前記上下方向Ｄ１と鉛直方向とを略一致させる。この際、位置決め凸部１４がトレー本体２の下面７でなく上面４に形成されているので、位置決め機構１３を起因としてこの載置が阻害されることがない。
【００６３】
次いで、収納する歯車Ｃを例えばピンセット等で把持し、この歯車Ｃを収納孔部３に、この収納孔部３の上面４側の開口端部３ａから挿入する。この際、歯車Ｃを、軸部Ｃ２の歯車下側の端部から収納孔部３に挿入する。その後、把持を解除することで、歯車Ｃは収納孔部３内を下面７側に向けて進入する。この際、歯車Ｃは、重心が位置する軸部Ｃ２の歯車下側における端部から挿入されているので、この軸部Ｃ２の歯車下側の端部や歯車本体Ｃ１の外周縁部が収納孔部３を画成する内周面６と接触することで、軸部Ｃ２の延在方向が鉛直方向、つまりトレー本体２の前記上下方向Ｄ１と一致するように姿勢が矯正される。そして、歯車Ｃは、軸部Ｃ２の歯車下側の端部が鉛直下側、つまり下面７側を向くようにして収納孔部３内を進入する。
【００６４】
ここで、収納孔部３を画成する内周面６の一部には、テーパ面８が形成されているため、歯車Ｃは、収納孔部３内を下面７側に向けて進入する過程で、テーパ面８において前記中間部分８ａまで歯車本体Ｃ１が進入したときに、図１０に示すように、テーパ面８に歯車本体Ｃ１の外周縁部の下端が当接して支持され、下面７側に向けた移動が規制される。この際、歯車Ｃは、歯車本体Ｃ１よりも重心が下面７側に位置した状態で移動が規制されるので、姿勢が安定し、がたつきが抑えられる。これにより、図９及び図１０に示すように、歯車Ｃを、歯車上側を上面４側に向けた状態で収納孔部３に収納することができる。
【００６５】
また、本実施形態では、図１０に示すように、テーパ面８における前記中間部分８ａから底面１０までの前記上下方向Ｄ１に沿った大きさＬ５が、歯車Ｃの軸部Ｃ２における歯車下側の長さＬ１より大きくなっているので、収納孔部３に歯車Ｃが収納された際に、歯車Ｃの軸部Ｃ２の歯車下側の端部が収納孔部３の底面１０に接触することがない。従って、歯車Ｃの変形や歯車Ｃに傷が付いてしまうのを確実に防止することができる。
【００６６】
なおこの際、本実施形態では、テーパ面８における前記中間部分８ａからテーパ面８の下端までの長さＬ６が、歯車Ｃの軸部Ｃ２における歯車下側の長さＬ１より小さくなっているので、軸部Ｃ２の歯車下側の端部は収納孔部３における前記空間Ｓ２に挿入される。
またこの際、本実施形態では、前述（図２及び図４）のように収納孔部３の各種大きさを設定することで、歯車ＣのハートカムＣ３がトレー本体２の上面４から突出せず、且つ歯車Ｃの軸部Ｃ２がトレー本体２の上面４から前記上下方向Ｄ１に沿って大きさＬ９（但し、Ｌ９＝Ｌ２＋Ｌ３−Ｌ７）だけ突出するようになっている。
【００６７】
図１１は、図９に示す収納パッケージ同士を重ね合わせる際の予め決められた向きを示す図である。図１２は、図９に示す収納パッケージを予め決められた向きで重ね合わせたときの縦方向に沿った辺部から見た側面図である。図１３は、図９に示す収納パッケージを予め決められた向きで重ね合わせたときの横方向に沿った辺部から見た側面図である。図１４は、図１２に示す収納パッケージの部分断面図である。
次に、前述のように歯車Ｃを収納した歯車用収納トレー１（収納パッケージＰ）同士を、図１１に示すように、予め決められた向きで重ね合わせる場合について説明する。以下の例では、歯車用収納トレー１を２段重ね合わせる場合を例として説明する。
【００６８】
ここで、本実施形態において、予め決められた向きで重ね合わせるとは、図１１に示すように、歯車用収納トレー１が平面視で同一の向きを向いた状態で重ね合わせることを意味する。そして、歯車用収納トレー１を前述のように予め決められた向きで重ね合わせる際、両歯車用収納トレー１の外周縁が一致するように重ね合わせる。この際、本実施形態では、トレー本体２に方向認識用の切り欠き部１９が形成されているので、図１１及び図１２に示すように、切り欠き部１９が同一の方向を向くように重ね合わせることで、両トレー１、１を確実に予め決められた向きで重ね合わせることができる。
【００６９】
歯車用収納トレー１同士を予め決められた向きで重ね合わせると、図１２及び図１３に示すように、各辺部５ａ、５ｂ、５ｃ、５ｄにおいて位置決め凸部１４及び位置決め凹溝１５がそれぞれ係合される。この際、前記縦方向Ｄ２に沿った各辺部５ａ、５ｂにおける係合により、両歯車用収納トレー１の前記横方向Ｄ３に沿った移動が規制され、前記横方向Ｄ３に沿った各辺部５ｃ、５ｄにおける係合により、両歯車用収納トレー１の前記縦方向Ｄ２に沿った移動が規制される。
これにより、重ね合わせられた両歯車用収納トレー１が前記縦方向Ｄ２及び前記横方向Ｄ３の２方向に位置決めされる。このように、位置決め機構１３によって位置決めする際に、単に位置決め凸部１４と位置決め凹溝１５とを係合するだけなので、位置決め作業を容易に行うことができる。
【００７０】
そして、前述のように位置決めされることで、図１４に示すように、上段側トレー１の軸逃げ用凹部１１が下段側トレー１の収納孔部３と対向して配置されるように両トレー１、１が位置決めされる。本実施形態では、収納孔部３に歯車Ｃを収納した際に、歯車Ｃの軸部Ｃ２が大きさＬ９だけ下段側トレー１のトレー本体２の上面４から突出しているものの、軸逃げ用凹部１１の深さがＬ８＞Ｌ２＋Ｌ３−Ｌ７＝Ｌ９となっているので、歯車Ｃの軸部Ｃ２の歯車上側の端部が軸逃げ用凹部１１の上端面に接触することがない。
これにより、下段側トレー１のトレー本体２の上面４から突出している軸部Ｃ２を上段側トレー１の軸逃げ用凹部１１に収納することが可能となり、軸部Ｃ２が上段側トレー１の下面７に接触するのを防ぐことができる。よって、歯車Ｃの変形や歯車Ｃに傷が付いてしまうのを確実に防止することができる。
【００７１】
図１５は、図９に示す収納パッケージ同士を重ね合わせる際の予め決められた向きと異なる向きを示す図である。図１６は、図９に示す収納パッケージを予め決められた向きと異なる向きで重ね合わせようとした際の縦方向に沿った辺部から見た側面図である。
次に、前述のように歯車Ｃを収納した歯車用収納トレー１同士を、図１５に示すように、予め決められた向きとは異なる向きで重ね合わせようとする場合について説明する。ここで、以下の例では、図１５に示すように、予め決められた向きに対して一方の歯車用収納トレー１を９０度回転させた状態で重ね合わせる場合を例として説明する。
【００７２】
この場合、図１６に示すように、上段側トレー１の位置決め凹溝１５内に形成された第１突起１７の下端面と、下段側トレー１の上面４に形成された第２突起１８の上端面とが当接する。これにより、上段側トレー１の下面７と下段側トレー１の上面４との接触を防止することができる。従って、上段側トレー１と下段側トレー１との位置決め方向を誤って重ね合わせようとした際に、下段側トレー１のトレー本体２の上面４から突出している軸部Ｃ２が上段側トレー１の下面７に接触してしまうのを防ぐことができる。よって、歯車Ｃの変形や歯車Ｃに傷が付いてしまうのを確実に防止することができる。
【００７３】
以上に示した歯車用収納トレー１によれば、歯車Ｃを単に収納孔部３に挿入するだけの容易な作業で速やかに、しかもがたつきを抑えながら決まった向きで収納することができる。
また、この歯車用収納トレー１において歯車Ｃを搬送する際には、前述のように歯車Ｃががたつきを抑えられながら収納されているので、仮に外部から衝撃を受けた場合であっても歯車Ｃが暴れることを抑制することが可能となり、歯車Ｃに傷が付くことや歯車Ｃの変形、及びトレー本体２の表面が擦れることに起因する異物の付着等を未然に防止することができる。
【００７４】
また、収納孔部３が複数設けられているので、一度に複数の歯車Ｃを収納及び搬送することが可能となる。しかも、一定量をまとめて取り扱う場合と異なり、搬送中に歯車Ｃ同士がぶつかったり、絡み合ったりすることがないので、歯車Ｃの変形や歯車Ｃに傷が付いてしまうのを確実に防止することができる。
【００７５】
また、歯車用収納トレー１同士を重ね合わせることで、搬送時等に外部から衝撃を受けた場合であっても、収納孔部３から上面４側に向けて歯車Ｃが飛び出してしまうのを抑制することができる。加えて、歯車用収納トレー１同士を重ね合わせることで、歯車Ｃの搬送時に一度に搬送する歯車用収納トレー１の数を増やすことが可能となり、歯車Ｃの搬送効率を向上することができる。
【００７６】
また、収納孔部３に歯車Ｃが収納された際に、軸部Ｃ２の歯車下側の端部が収納孔部３における前記空間Ｓ２内に挿入されることで、仮に収納孔部３内で歯車Ｃががたついたとしても、軸部Ｃ２が規制面９に接触して歯車Ｃのがたつきをより確実に抑制することができる。
また、収納孔部３が有底状に形成されているので、トレー本体２の下面７側から異物等が入り込むのを抑制することが可能となり、歯車Ｃに異物が付着するのをより確実に防止することができる。
【００７７】
また、この歯車用収納トレー１において歯車Ｃを搬送後、この歯車Ｃを用いて組み立てを行う際には、前述のように歯車Ｃががたつきを抑えられながら決まった向きで収納されているので、搬送後であっても歯車Ｃを歯車上側を上面４側に向けた状態で収納孔部３に収納させておくことが可能となり、歯車Ｃを摘み上げる作業性を格段に向上することができる。なお、歯車Ｃにおいて歯車上側に位置する部分（例えば、ハートカムＣ３等）に注油作業を行う場合は、この注油作業を歯車Ｃを収納孔部３に収納した状態で行うことが可能となり、作業性をより一層向上することができる。
以上に示したように、この歯車用収納トレー１によれば、収納、搬送、組み立て時まで取り出し作業を行う必要が無く、一貫して使用することができる。
【００７８】
なお、本発明の技術的範囲は前記実施形態に限定されるものではなく、本発明の趣旨を逸脱しない範囲において種々の変更を加えることが可能である。
例えば、前記実施形態では、収納孔部３を画成する内周面６には規制面９が形成されているものとしたが、規制面９はなくても構わない。
また、前記実施形態では、収納孔部３は複数設けられているものとしたが、収納孔部３は１つでも構わない。
【００７９】
また、前記実施形態では、テーパ面８は縦断面視形状が傾斜平面であるものとしたが、これに限られず、上面４側から下面７側に向かうに連れて縮径するものであれば良い。例えば、テーパ面８は、縦断面視形状が凸曲面や凹曲面であっても良い。また、テーパ面８には、前記上下方向Ｄ１において中間に位置する部分に段部があっても良い。
【００８０】
また、前記実施形態では、収納孔部３は有底状に形成されているものとしたが、トレー本体２の前記上下方向Ｄ１に貫通していても構わない。また、有底状である場合であっても、テーパ面８における前記中間部分８ａから底面１０までの前記上下方向Ｄ１に沿った大きさＬ５が、歯車Ｃの軸部Ｃ２における歯車下側の長さＬ１より大きくなるように形成されていなくても良い。例えば、前記大きさＬ５が、前記長さＬ１と同等であっても良い。
【００８１】
また、前記実施形態では、トレー本体２の下面７には軸逃げ用凹部１１が形成されているものとしたが、軸逃げ用凹部１１はなくても構わない。この場合、例えば、トレー本体２の上面４から軸部Ｃ２を突出させないように、収納孔部３の前記上下方向Ｄ１に沿った大きさを大きく（深く）形成することで、歯車用収納トレー１の重ね合わせ時に歯車Ｃの軸部Ｃ２の歯車上側の端部が上段側トレー１の下面７に接触するのを防止しても良い。但し、歯車Ｃの軸部Ｃ２の歯車上側の端部が突出していた方が、歯車Ｃを摘み上げる際の作業性を向上することができるので好ましい。
【００８２】
また、前記実施形態では、位置決め機構１３を備えるものとしたが、位置決め機構１３はなくても構わない。また、位置決め機構１３を備える場合、位置決め機構１３の形態は前述したものに限られるものではない。例えば、トレー本体２の中央部分に位置決め凸部や位置決め凹溝を形成しても良く、或いはトレー本体２の上面４に位置決め凹溝を形成すると共にトレー本体２の下面７に位置決め凸部を形成しても構わない。
【００８３】
また、前記実施形態では、誤位置決め防止機構１６を備えるものとしたが、誤位置決め防止機構１６はなくても構わない。
また、前記実施形態では、トレー本体２に方向認識用の目印として切り欠き部１９が形成されているものとしたが、切り欠き部１９はなくても構わない。また、前記目印は、方向認識が可能であれば切り欠き部１９に限られるものではなく、例えばトレー本体２上に凸状体等を形成しても良い。
【００８４】
また、前記実施形態では、トレー本体２を平面視正方形状であるとしたが、これに限られるものではなく、例えば平面視円形状や平面視長方形状等であっても良い。
また、前記実施形態では、歯車Ｃが収納孔部３に収納された歯車用収納トレー１（収納パッケージＰ）同士を２段重ね合わせる場合を説明したが、重ね合わせる段数は３段以上でも構わず、この場合であっても同様の作用効果を奏することができる。更にまた、収納パッケージＰは重ね合わせなくても良い。
【００８５】
また、前記実施形態では、歯車用収納トレー１を多段に重ねる場合に、各歯車用収納トレー１に予め歯車Ｃを収納した収納パッケージＰの状態にした後に重ねるものとしたが、これに限られるものではない。例えば、最初の歯車用収納トレー１に歯車Ｃを収納した後、空の歯車用収納トレー１を重ね、その後、この空の歯車用収納トレー１に歯車を収納する順番としても良い。このような順番で作業をしても、同様の作用効果を奏することができる。
【００８６】
また、前記実施形態において、歯車用収納トレー１を多段に重ねる場合に、ロボット等の機械を用いても良い。この場合、切り欠き部１９を指標として指標としてプログラミングできるので、制御が非常に容易になる。
また、前記実施形態において、歯車用収納トレー１を多段に重ねた後に搬送する場合には、蓋の役割として空の歯車用収納トレー１を最上段に載せるのが好ましい。また、多段に重ねた後に搬送する場合には、全体を熱収縮フィルム等で覆って梱包することが好ましい。以上のようにすることで、歯車Ｃに異物等が付着してしまうことを効果的に防止することができる。
【００８７】
その他、本発明の趣旨に逸脱しない範囲で、前記実施形態における構成要素を周知の構成要素に置き換えることは適宜可能であり、また、前記した変形例を適宜組み合わせてもよい。
【図面の簡単な説明】
【００８８】
【図１】本発明に係る歯車用収納トレーの一実施形態の構成図である。
【図２】図２（ａ）は、図１に示す歯車用収納トレーに収納する歯車を示す側面図である。図２（ｂ）は、図１に示す歯車用収納トレーに収納する歯車を示す平面図である。
【図３】図１に示す断面矢視Ａ−Ａ図である。
【図４】図３に示す断面図の部分拡大図である。
【図５】図１に示す歯車用収納トレーを下面側から見た平面図である。
【図６】図１に示す矢視Ｂ図である。
【図７】図１に示す矢視Ｃ図である。
【図８】図１に示す矢視Ｄ図である。
【図９】図１に示す歯車用収納トレーの収納孔部に歯車を収容した収納パッケージの平面図である。
【図１０】図９に示す収納パッケージの部分断面図である。
【図１１】図９に示す収納パッケージ同士を重ね合わせる際の予め決められた向きを示す図である。
【図１２】図９に示す収納パッケージを予め決められた向きで重ね合わせたときの縦方向に沿った辺部から見た側面図である。
【図１３】図９に示す収納パッケージを予め決められた向きで重ね合わせたときの横方向に沿った辺部から見た側面図である。
【図１４】図１２に示す収納パッケージの部分断面図である。
【図１５】図９に示す収納パッケージ同士を重ね合わせる際の予め決められた向きと異なる向きを示す図である。
【図１６】図９に示す収納パッケージを予め決められた向きと異なる向きで重ね合わせようとした際の縦方向に沿った辺部から見た側面図である。
【符号の説明】
【００８９】
１  歯車用収納トレー、上段側トレー、下段側トレー
２  トレー本体
３  収納孔部
３ａ  収納孔部の開口端部
４  トレー本体の上面
５  トレー本体の外周縁部
６  収納孔部を画成する内周面
７  トレー本体の下面
８  テーパ面
９  規制面
１０  収納孔部の底面
１１  軸逃げ用凹部
１３  位置決め機構
１４  位置決め凸部
１５  位置決め凹溝
１６  誤位置決め防止機構
１９  切り欠き部（目印）
Ｃ  歯車
Ｃ１  歯車本体
Ｃ２  軸部
Ｄ１  トレー本体の上下方向
Ｐ  収納パッケージ（収納体）
Ｗ１  歯車本体の直径
Ｗ２  収納孔部の上面側の開口端部の内径
Ｗ３  テーパ面の下端の内径
Ｗ４  軸逃げ用凹部の内径
Ｌ１  歯車の軸部において重心が位置する方向に延在する軸部の長さ
Ｌ５  テーパ面において内径が歯車本体の直径と一致する位置から底面までの上下方向に沿った大きさ
【図１】
2010143596.tif 000003
【図２】
2010143596.tif 000004
【図３】
2010143596.tif 000005
【図４】
2010143596.tif 000006
【図５】
2010143596.tif 000007
【図６】
2010143596.tif 000008
【図７】
2010143596.tif 000009
【図８】
2010143596.tif 000010
【図９】
2010143596.tif 000011
【図１０】
2010143596.tif 000012
【図１１】
2010143596.tif 000013
【図１２】
2010143596.tif 000014
【図１３】
2010143596.tif 000015
【図１４】
2010143596.tif 000016
【図１５】
2010143596.tif 000017
【図１６】
2010143596.tif 000018